(57)【要約】【課題】置き土の造設方法策定作業を支援する。【解決手段】ダムの川上側に堆積した土砂を用いて川下側に造設される置き土の造設方法を策定するための情報処理装置であって、置き土を造設するために用いられる土砂の量を示す第１の値と、置き土の高さを示す第２の値と、をそれぞれ可変させて、第１の値及び第２の値の組み合わせ毎にそれぞれ算出される置き土の流下が完了するまでに要する時間を示す第３の値を、組み合わせ毎に、第１の値及び第２の値と対応付けて記憶するテーブルと、土砂の量、置き土の高さ、及び置き土の流下が完了するまでに要する時間の少なくともいずれか一つの項目について、値の入力を受け付ける入力受け付け部と、値が入力された項目とは異なる項目について、入力された値に対応する値をテーブルから読み出して出力する出力部と、を備えることを特徴とする情報処理装置。【選択図】図５
2014173289.tif 000002
【特許請求の範囲】
【請求項１】
ダムの川上側に堆積した土砂を用いて前記ダムの川下側に造設される置き土の造設方法を策定するための情報処理装置であって、
前記置き土を造設するために用いられる土砂の量を示す第１の値と、前記置き土の高さを示す第２の値と、をそれぞれ可変させて、前記第１の値及び前記第２の値の組み合わせ毎にそれぞれ算出される前記置き土の流下が完了するまでに要する時間を示す第３の値を、前記組み合わせ毎に、前記第１の値及び前記第２の値と対応付けて記憶するテーブルと、
前記土砂の量、前記置き土の高さ、及び前記置き土の流下が完了するまでに要する時間の少なくともいずれか一つの項目について、値の入力を受け付ける入力受け付け部と、
前記値が入力された項目とは異なる項目について、入力された前記値に対応する値を前記テーブルから読み出して出力する出力部と、
を備えることを特徴とする情報処理装置。
【請求項２】
請求項１に記載の情報処理装置であって、
前記入力受け付け部は、前記土砂の量を示す値と、前記置き土の流下が完了するまでに要する時間を示す値と、の入力を受け付け、
前記出力部は、入力された前記各値に対応する置き土の高さを示す値を前記テーブルから読み出して出力する
ことを特徴とする情報処理装置。
【請求項３】
請求項１に記載の情報処理装置であって、
前記入力受け付け部は、前記置き土の高さを示す値と、前記置き土の流下が完了するまでに要する時間を示す値と、の入力を受け付け、
前記出力部は、入力された前記各値に対応する土砂の量を示す値を前記テーブルから読み出して出力する
ことを特徴とする情報処理装置。
【請求項４】
請求項１〜３のいずれかに記載の情報処理装置であって、
前記第１の値と、前記第２の値と、をそれぞれ可変させて、前記第１の値及び前記第２の値の組み合わせ毎にそれぞれ前記第３の値を算出するシミュレーション実行部と、
前記シミュレーション実行部により算出された前記第３の値を、前記組み合わせ毎に、前記第１の値及び前記第２の値と対応付けて前記テーブルに記録するテーブル作成部と、
を更に備えることを特徴とする情報処理装置。
【請求項５】
請求項１〜３のいずれかに記載の情報処理装置であって、
前記第１の値と、前記第２の値と、をそれぞれ可変させて、前記第１の値及び前記第２の値の組み合わせ毎にそれぞれ前記第３の値を算出するシミュレーション実行装置と通信可能に接続され、前記シミュレーション実行装置から、前記組み合わせ毎に、前記第１の値と、前記第２の値と、前記第３の値と、を受信する通信部と、
前記通信部により受信された前記第１の値と、前記第２の値と、前記第３の値とを、それぞれ前記組み合わせ毎に対応付けて前記テーブルに記録するテーブル作成部と、
を更に備えることを特徴とする情報処理装置。
【請求項６】
ダムの川上側に堆積した土砂を用いて前記ダムの川下側に造設される置き土の造設方法を策定するため情報処理装置の制御方法であって、
前記情報処理装置が、前記置き土を造設するために用いられる土砂の量を示す第１の値と、前記置き土の高さを示す第２の値と、をそれぞれ可変させて、前記第１の値及び前記第２の値の組み合わせ毎にそれぞれ算出される前記置き土の流下が完了するまでに要する時間を示す第３の値を、前記組み合わせ毎に、前記第１の値及び前記第２の値と対応付けて記憶し、
前記情報処理装置が、前記土砂の量、前記置き土の高さ、及び前記置き土の流下が完了するまでに要する時間の少なくともいずれか一つの項目について、値の入力を受け付け、
前記情報処理装置が、前記値が入力された項目とは異なる項目について、入力された前記値に対応する値を前記テーブルから読み出して出力する
ことを特徴とする情報処理装置の制御方法。
【請求項７】
ダムの川上側に堆積した土砂を用いて前記ダムの川下側に造設される置き土の造設方法を策定するための情報処理装置に、
前記置き土を造設するために用いられる土砂の量を示す第１の値と、前記置き土の高さを示す第２の値と、をそれぞれ可変させて、前記第１の値及び前記第２の値の組み合わせ毎にそれぞれ算出される前記置き土の流下が完了するまでに要する時間を示す第３の値を、前記組み合わせ毎に、前記第１の値及び前記第２の値と対応付けて記憶する手順と、
前記土砂の量、前記置き土の高さ、及び前記置き土の流下が完了するまでに要する時間の少なくともいずれか一つの項目について、値の入力を受け付ける手順と、
前記値が入力された項目とは異なる項目について、入力された前記値に対応する値を前記テーブルから読み出して出力する手順と、
を実行させるためのプログラム。
【発明の詳細な説明】
【技術分野】
【０００１】
本発明は、ダムの川上側に堆積した土砂を用いてダムの川下側に造設される置き土の造設方法を策定するための情報処理装置、情報処理装置の制御方法、及びプログラムに関する。
【背景技術】
【０００２】
水力発電所のダムや堰堤（以下、単にダムとも記す）は、河川の上流から流れてくる土砂を堰き止める。このため、下流への土砂供給量が低下し、海岸線の減少やアーマー化（河床の構成材料が大きな石や礫だけになる状態）等を発生させるおそれがある。
【０００３】
そのため、ダムによって堰き止められた土砂をダムの川下側へ運搬して河川沿いに置き土を造設し、ダムからの水の流れにより土砂を下流に流すようにすることがある（図１２参照）。
【０００４】
置き土によって土砂を川下に流すことにより、ダムに堆積した土砂を土捨場まで運搬するために要するコストを削減できる他、土砂を自然な状態で下流へ供給できる（例えば特許文献１参照）。
【先行技術文献】
【特許文献】
【０００５】
【特許文献１】特開２００６−２００１６８号公報
【発明の概要】
【発明が解決しようとする課題】
【０００６】
しかしながら置き土を造設する際には、単にダムの上流側に堆積した土砂を浚渫して下流側に置けばよいというものではなく、例えば水力発電所の方針に沿って運用されるダムの放水の実施状況や、土砂を河川に流すことによる自然環境等への影響などを考慮しながら、土砂が適切に流されていくように、土砂の置き方などを定めた置き土の造設方法を策定する必要がある。
【０００７】
例えば、土砂の量が多すぎると、土砂が流下するまでに要する期間が長くなる上、下流に流される大量の土砂が生態系等の環境へ悪影響を与える可能性もある。一方、土砂の量が少なすぎると、土砂が流下するまでに要する期間は短くなるが、海岸線の減少やアーマー化等を生じる可能性があり、やはり環境へ悪影響を与える可能性がある。
【０００８】
また土砂の量が同じでも、土砂がより高く積み上がるように置くと、すべての土砂が流下するまでに要する期間が長くなるが、逆に土砂の高さがより低くなるような置き方をすると、土砂が流下するまでに要する時間が短くなり、より短期間に集中して土砂が流下する。
【０００９】
このような置き土の造設方法を適切に策定するためには長年の経験や実績に基づいた高度な判断を必要とする。  
そのため、置き土の造設方法の策定作業を支援するための技術が求められている。
【００１０】
本発明は上記課題を鑑みてなされたものであり、置き土の造設方法の策定作業を支援することを一つの目的とする。
【課題を解決するための手段】
【００１１】
一つの側面に係る情報処理装置は、ダムの川上側に堆積した土砂を用いて前記ダムの川下側に造設される置き土の造設方法を策定するための情報処理装置であって、前記置き土を造設するために用いられる土砂の量を示す第１の値と、前記置き土の高さを示す第２の値と、をそれぞれ可変させて、前記第１の値及び前記第２の値の組み合わせ毎にそれぞれ算出される前記置き土の流下が完了するまでに要する時間を示す第３の値を、前記組み合わせ毎に、前記第１の値及び前記第２の値と対応付けて記憶するテーブルと、前記土砂の量、前記置き土の高さ、及び前記置き土の流下が完了するまでに要する時間の少なくともいずれか一つの項目について、値の入力を受け付ける入力受け付け部と、前記値が入力された項目とは異なる項目について、入力された前記値に対応する値を前記テーブルから読み出して出力する出力部と、を備える。
【００１２】
その他、本願が開示する課題、及びその解決方法は、発明を実施するための形態の欄の記載、及び図面の記載等により明らかにされる。
【発明の効果】
【００１３】
置き土の造設方法策定作業を支援することができる。
【図面の簡単な説明】
【００１４】
【図１】置き土支援装置のハードウェア構成を示すブロック図である。
【図２】置き土支援装置の記憶部に格納されるデータの構成を示す。
【図３】置き土支援装置による処理の流れを示すフローチャートである。
【図４】シミュレーション結果テーブルを示す図である。
【図５】シミュレーション結果テーブルを示す図である。
【図６】出水パターンの一例を示す図である。
【図７】置き土が流下していく様子を示す図である。
【図８】置き土が流下していく様子を示す図である。
【図９】置き土が流下していく様子を示す図である。
【図１０】置き土の高さを説明するための図である。
【図１１】置き土の高さを説明するための図である。
【図１２】置き土を説明するための図である。
【発明を実施するための形態】
【００１５】
本明細書および添付図面の記載により、少なくとも以下の事項が明らかとなる。
【００１６】
＝＝装置及びデータの構成＝＝
図１は、本発明の実施形態に係る置き土支援装置１のハードウェア構成を示す図である。置き土支援装置１は、通信部１１、表示部（出力部）１２、入力部（入力受け付け部）１３、処理部（シミュレーション実行部、テーブル作成部）１４及び記憶部１５を備えるコンピュータ（情報処理装置）である。
【００１７】
通信部１１は、ネットワーク（不図示）を介して他のコンピュータと通信を行う部分であり、例えば、ＮＩＣ（Network Interface Card）等によって実現される。
【００１８】
表示部１２は、処理部１４からの指示によりデータを出力する部分であり、例えば、液晶ディスプレイ（ＬＣＤ：Liquid Crystal Display）等によって実現される。
【００１９】
入力部１３は、オペレータがデータ（例えば、地形条件や出水パターンのデータ）を入力する部分であり、例えば、キーボードやマウス等によって実現される。
【００２０】
処理部１４は、置き土支援装置１の全体の制御を行うものであり、ＣＰＵ（Central Processing Unit）が記憶部１５に格納された各種のプログラムを実行することによって実現される。
【００２１】
記憶部１５は、本実施形態に係る置き土支援装置１を機能させるために処理部１４によって実行される各種のプログラムやデータ、テーブル等を記憶する。記憶部１５は、例えばフラッシュメモリやハードディスク装置等の不揮発性記憶装置、及びＲＡＭ等の揮発性記憶装置により実現される。記憶部１５は、置き土の土砂の量や置き土の高さ、水力発電所のダムや河川の地形条件のデータ、置き土をダムから下流まで流すべき出水に係る流量の時間的変化を示す出水パターンのデータ、質量保存則の連続式、運動量保存則の運動方程式及びＭ．Ｐ．Ｍ式、長谷川の式等のデータを記憶する。
【００２２】
なお置き土支援装置１は、スタンドアロンの情報処理装置（ＰＣ（Personal Computer）等）であってもよいし、端末やサーバ等の他の情報処理装置（例えば、後述するシミュレーション実行装置）とネットワーク（不図示）を介して通信可能な情報処理装置であってもよい。なお、置き土支援装置１は、スタンドアロンの装置である場合には、通信部１１を備える必要はない。
【００２３】
置き土支援装置１は、上記端末やサーバ等の他の情報処理装置と通信可能な場合には、端末やサーバ等から地形条件や出水パターン、シミュレーション結果等のデータを受信して記憶部１５に記憶するようにしてもよい。さらに、記憶部１５が遠隔地に設けられていても良く、この場合、置き土支援装置１は、通信部１１を介して記憶部１５との間でプログラムやデータを授受する。
【００２４】
図２は、記憶部１５に格納されるデータの構成を示す。記憶部１５には、計算式データ１５Ａ、地形条件データ１５Ｂ、出水パターンデータ１５Ｃ、及びシミュレーション結果テーブル１５Ｄが格納される。
【００２５】
計算式データ１５Ａは、シミュレーションを実行する際に用いられる計算式のデータであり、流れの基礎式としての質量保存則の連続式や運動量保存則の運動方程式及びＭ．Ｐ．Ｍ式、長谷川の式等がある。
【００２６】
地形条件データ１５Ｂは、ダム及び河川の地形に関するデータであり、置き土の量（土砂の量）や高さ、川床の高さ、河川幅、ダムの高さ、河床材料の平均粒径等がある。
【００２７】
出水パターンデータ１５Ｃは、置き土を下流へ流すべき出水に係る流量の時間的変化を示すデータである。
【００２８】
シミュレーション結果テーブル１５Ｄは、置き土を造設するために用いられる土砂の量を示す第１の値と、造設される置き土の高さを示す第２の値と、をそれぞれ可変させて、第１の値及び第２の値の組み合わせ毎にそれぞれシミュレーションを行なうことにより算出された置き土の流下が完了するまでに要する時間を示す第３の値を、上記組み合わせ毎に、第１の値及び第２の値と対応付けて記憶する。
【００２９】
シミュレーション結果テーブル１５Ｄの一例を図４に示す。シミュレーション結果テーブル１５Ｄの「土砂の量」の欄には、シミュレーションを実行した際に用いた第１の値が記載される。「土砂の高さ」の欄には、シミュレーションを実行した際に用いた第２の値が記載される。「流下期間」の欄には、シミュレーションを実行することにより算出された第３の値が記載される。
【００３０】
なお、置き土の流下が完了するまでに要する時間は、様々に定義することが可能であるが、一例として、河川に置き土を造設する際に設置した仮締切を外し、置き土が河川の水にさらされ始めた時点から、造設された置き土の全ての土砂が水流によって位置を変えた時点までの期間とすることができる。
【００３１】
またシミュレーション結果テーブル１５Ｄを２次元座標上にプロットして作成したグラフを図５に示す。
【００３２】
図５に示すように、置き土の土砂の量が同じでも（例えば１０００ｍ３）、置き土の高さがより高くなるように土砂を置くと、置き土の土砂の流下が完了するまでに要する期間は長くなる。
【００３３】
例えば、図１０及び図１１は、河川を横断方向に切断した場合の断面図であるが、図１０に示す置き土の高さＨ１よりも、図１１に示す置き土の高さＨ２の方が高いため（Ｈ２＞Ｈ１）、これらの土砂の量が同じであっても、図１１に示すように置き土の高さがより高くなるように造設した方が、置き土の土砂が流下し終わるまでに要する期間は長くなる。
【００３４】
図５に戻ると、置き土の高さを同じにしても、置き土の土砂の量が多いほど、置き土の土砂の流下が完了するまでに要する期間は長くなる。
【００３５】
また置き土の土砂の流下が完了するまでの期間の上限があらかじめ決められているような場合には、より大量の土砂を置き土として処理するためには、高さをできるだけ低くするように置き土を造設する必要がある。
【００３６】
≪シミュレーションについて≫
置き土支援装置１は、置き土を造設するために用いられる土砂の量を示す第１の値と、置き土の高さを示す第２の値と、をそれぞれ可変させて、これらの第１の値及び第２の値の組み合わせ毎に、置き土が下流に流されていく様子をシミュレーションし、置き土の流下が完了するまでに要する期間を示す第３の値を算出する。
【００３７】
まず、置き土支援装置１は、通信部１１や入力部１３を介して、置き土の土砂の量や置き土の高さを含む地形条件のデータを取得する。地形条件のデータには、河川幅、河川の縦断高さ、土砂（河床材料）の平均粒径、ダムの高さ、粗度係数等がある。河川の縦断高さは、流れの方向に沿った河床高さの分布であり、置き土によって高くなった河床を含むものとする。取得した地形条件のデータは、記憶部１５の地形条件データ１５Ｂに記憶される。
【００３８】
次に、置き土支援装置１は、通信部１１や入力部１３を介して、ダムからの出水のパターンのデータを取得する。出水とは、水力発電所のダムから下流に流れ出る水であり、自然の洪水や強制的なダムの開放によるものがある。図６は、出水パターンの一例を示すグラフである。横軸に経過時間［ｈｏｕｒ］をとり、縦軸に流量［ｍ３／ｓ］をとっており、流量の時間的変化を示すものになっている。取得した出水パターンのデータは、記憶部１５の出水パターンデータ１５Ｃに記憶される。
【００３９】
そして、置き土支援装置１は、時刻ｔを初期設定する。時刻ｔには、初期値として例えば出水の開始時刻（０ｈｏｕｒ）が設定される。
【００４０】
置き土支援装置１は、計算式データ１５Ａに記憶されている流れの基礎式（式１）および運動方程式（式２）（式３）に各種地形データ等を入力し、数値計算を行なう。  
2014173289.tif 000003
【００４１】
ここに、 (x,y)：空間座標、t：時間、h：水深、Zs：水位、 (u,v)：平均流速ベクトルの(x,y)成分、Ｍ：Ｍ＝huで定義される流量フラックス、Ｎ：Ｎ＝hvで定義される流量フラックス、-ui'uj'：水深平均されたレイノルズ応力テンソル、τbx,τby：底面において作用する(x,y)方向のせん断応力ベクトル成分である。
【００４２】
なお、置き土支援装置１は、下記に示す（式４）（式５）により、τbx,τbyを求める。なおｎはマニングの粗度係数である。  
2014173289.tif 000004
【００４３】
また、水深平均されたレイノルズ応力テンソル-ui'uj'は以下のように（式６）（式７）で与えられる。  
2014173289.tif 000005
【００４４】
ここに、u*：摩擦速度、k：水深平均された乱れエネルギー、Ｄh：渦動粘性係数、δij：クロネッカーのデルタ、α：定数（=0.3）である。
【００４５】
また、乱れエネルギーkは、下記の（式８）の実験式を水深方向に積分して得られる2.07u*2により評価する。  
2014173289.tif 000006
【００４６】
次に置き土支援装置１は土砂の解析を行なう。本実施形態に係る置き土支援装置１は、河川の流れ方向にＭ．Ｐ．Ｍ．式、横断方向に長谷川の式を用いて、平衡流砂量式により土砂の解析を行なう。
【００４７】
具体的には、置き土支援装置１は、（式９）（式１０）を解いて求めた流砂量 (qbs,qbn)をx,y方向成分である (qbx,qby)に変換し、（式１１）の河床の連続式から河床変動を計算することにより、土砂の解析を行なう。  
2014173289.tif 000007
【００４８】
ここに、(qbs,qbn)：流れ方向、横断方向の流砂フラックス、τ*,τ*c：無次元掃流力、無次元限界掃流力、(usb,unb)：河床近傍の流速の(s,n)方向成分、μs：河床材料の静止摩擦係数、μk：河床材料の動摩擦係数、zb：河床高である。λ：河床材料の空隙率である。
【００４９】
上記の（式１）〜（式１１）を置き土支援装置１が解析することによって、河川に造設された置き土が時間の経過と共に下流に流されていく様子がシミュレーションされる。
【００５０】
置き土支援装置１により実施されたシミュレーションの結果を図７〜図９に示す。図７〜図９において記載されているｔは、置き土が河川の水流に曝され始めてからの経過時間を示す。
【００５１】
置き土支援装置１は、上記のようにして置き土を造設するために用いられる土砂の量を示す第１の値と、置き土の高さを示す第２の値と、をそれぞれ可変させながらシミュレーションを行う。
【００５２】
そして置き土支援装置１は、上記シミュレーションによって、第１の値と第２の値との組み合わせ毎に算出された置き土の流下が完了するまでに要する時間を示す第３の値を、上記組み合わせ毎に、第１の値及び第２の値と対応付けてシミュレーション結果テーブル１５Ｄに記憶する。
【００５３】
このような態様により、置き土支援装置１は、置き土を造設するために用いられる土砂の量と、造設される置き土の高さと、置き土の流下が完了するまでに要する時間と、の少なくともいずれかを指定した置き土の実施条件が入力部１３に入力された場合に、この実施条件に合致する置き土の実施方法を出力することが可能になる。また置き土支援装置１は、シミュレーション結果テーブル１５Ｄを参照するだけで、実施条件に合致する置き土の実施方法を迅速に出力することができる。
【００５４】
なお上記シミュレーションは、置き土支援装置１と通信可能に接続されたシミュレーション実行装置（不図示）が行なうようにしても良い。この場合、置き土支援装置１は、シミュレーション実行装置から、置き土を造設するために用いられる土砂の量を示す第１の値と、置き土の高さを示す第２の値との組み合わせ毎に、第１の値と、第２の値と、第３の値と、を受信し、これらの第１の値と、第２の値と、第３の値と、を上記組み合わせ毎に対応付けてシミュレーション結果テーブル１５Ｄに記憶する。
【００５５】
このような態様により、置き土支援装置１がシミュレーションを実行する必要がなくなるので、置き土支援装置１の負荷を軽減することが可能になる。また、シミュレーション実行装置を置き土支援装置１よりも高性能なコンピュータ（例えばいわゆるスーパーコンピュータ）で実現するようにすれば、置き土支援装置１は、シミュレーション結果をより迅速に取得することが可能になる。
【００５６】
＝＝処理の流れ＝＝
次に、本実施形態に係る置き土支援装置１が実行する処理の流れを、図３のフローチャートを参照しながら説明する。
【００５７】
まず置き土支援装置１は、置き土の造設条件の入力を受け付ける（S1000）。置き土の造設条件は、具体的にはオペレータによって入力部１３に入力される。
【００５８】
このときオペレータは、置き土を造設するために用いられる土砂の量、置き土の高さ、および置き土の流下が完了するまでに要する期間、の少なくともいずれか一つの項目について、値を入力部１３に入力する。
【００５９】
一例として、置き土を造設するために用いられる土砂の量を示す値と、置き土の流下が完了するまでに要する期間を示す値と、が入力部１３に入力された場合について説明する。例えば土砂の量として５００ｍ３、期間として１００日が入力されたとする。
【００６０】
そうすると、置き土支援装置１は、シミュレーション結果テーブル１５Ｄを参照し、入力されたこれらの値に対応する値をシミュレーション結果テーブル１５Ｄから読み出して、表示部１２に出力する（S1010）。
【００６１】
図４に示すように、土砂の量＝５００ｍ３、流下期間＝１００日には、置き土の高さ＝１．０ｍが対応するので、置き土支援装置１は置き土の高さとして１．０ｍを表示部１２に出力する。
【００６２】
つまり、オペレータは、５００ｍ３の土砂を用いて置き土を造設し、１００日で全て流下させるためには、高さが１．０ｍになるように置き土を造設すればよいと知ることができる。
【００６３】
このように、本実施形態に係る置き土支援装置１は、置き土を造設するために用いられる土砂の量を示す値と、置き土の流下が完了するまでに要する期間を示す値と、が入力部１３に入力されるようにすることにより、所定期間内に所定量の土砂を川下に流下させるためには、置き土の高さをどのようにすればよいかを容易に知ることが可能となる。これにより、置き土の造設方法策定作業の負担軽減を図ることが可能となる。
【００６４】
他の例として、置き土の高さを示す値と、置き土の流下が完了するまでに要する期間を示す値と、が入力部１３に入力された場合について説明する。例えば置き土の高さとして３ｍ、期間として３００日が入力されたとする。
【００６５】
そうすると、置き土支援装置１は、シミュレーション結果テーブル１５Ｄを参照し、入力されたこれらの値に対応する値をシミュレーション結果テーブル１５Ｄから読み出して、表示部１２に出力する（S1010）。
【００６６】
図４に示すように、置き土の高さ＝３ｍ、流下期間＝３００日には、置き土の土砂の量＝２０００ｍ３が対応するので、置き土支援装置１は置き土の土砂の量として２０００ｍ３を表示部１２に出力する。
【００６７】
つまり、オペレータは、置き土を３ｍの高さで造設し、３００日で全て流下させるためには、２０００ｍ３の土砂を処理できることを知ることができる。
【００６８】
このように、本実施形態に係る置き土支援装置１は、造設する置き土の高さを示す値と、置き土の流下が完了するまでに要する期間を示す値と、が入力部１３に入力されるようにすることにより、所定高さで造設される置き土を所定期間内に流下させるためには、どれだけの量の土砂を処理可能であるかを容易に知ることが可能となる。これにより、置き土の造設方法策定作業の負担軽減を図ることが可能となる。
【００６９】
さらに別の例として、置き土の流下が完了するまでに要する期間を示す値のみが入力部１３に入力された場合について説明する。例えば、置き土の流下が完了するまでの期間として１５０日が入力されたとする。
【００７０】
そうすると、置き土支援装置１は、シミュレーション結果テーブル１５Ｄを参照し、入力された流下期間＝１５０日に対応する土砂の量及び置き土の高さをシミュレーション結果テーブル１５Ｄから読み出して、表示部１２に出力する（S1010）。
【００７１】
この場合、流下期間＝１５０日に対応する土砂の量及び置き土の高さの組み合わせは一つとは限らない。置き土支援装置１は、流下期間＝１５０日に対応する土砂の量及び置き土の高さの全ての組み合わせをシミュレーション結果テーブル１５Ｄから読み出して、表示部１２に出力する。
【００７２】
このようにしてオペレータは、置き土を１５０日で全て流下させることができる置き土の土砂の量及び置き土の高さの組み合わせを知ることができる。
【００７３】
このように、本実施形態に係る置き土支援装置１は、置き土の流下が完了するまでに要する期間を示す値が入力部１３に入力されるようにすることにより、所定期間内に置き土を流下させるためには、どれだけの量の土砂を用いてどれだけの高さで置き土を造設すればよいかを容易に知ることが可能となる。これにより、置き土の造設方法策定作業の負担軽減を図ることが可能となる。
【００７４】
なおこの場合、置き土支援装置１は、入力された期間内に置き土を流下させることができる土砂の量と置き土の高さとの各組み合わせを、２次元座標上にプロットして表示するようにしても良い。
【００７５】
これにより、本実施形態に係る置き土支援装置１は、入力部１３に入力された造設条件に合致する置き土の形状の条件を視覚的に表示することが可能になるので、置き土の造設方法策定作業の負担軽減を図ることが可能となる。
【００７６】
上記の例以外にも、置き土を造設するために用いられる土砂の量と、置き土の高さと、置き土の流下が完了するまでに要する期間と、の少なくとも一つの項目について、値が入力部１３に入力された場合には、置き土支援装置１はシミュレーション結果テーブル１５Ｄを参照し、入力部１３に入力された項目とは異なる項目について、入力された値に対応する値を読み出して、表示部１２に出力する。
【００７７】
このような態様により、本実施形態に係る置き土支援装置１は、入力部１３に入力された造設条件に合致する置き土の造設方法を、シミュレーション結果テーブル１５Ｄを参照するだけで迅速に出力することが可能になる。これにより、置き土の造設方法策定作業の負担軽減を図ることが可能となる。
【００７８】
特に、置き土を造設する工事を行う場合には、工事の規模も大きい上、万が一、置き土が計画通りに流下しなかったとしてもやり直しは困難である。そのため、本実施形態に係る置き土支援装置１を用いて事前に置き土の造設方法を検討することにより、より精度の高い置き土の実施計画を策定することが可能となる。
【００７９】
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。
【００８０】
例えば、オペレータにより入力部１３に入力される値は、シミュレーション結果テーブル１５Ｄに記録されている値と同じでなくても良い。この場合、置き土支援装置１は、シミュレーション結果テーブル１５Ｄに記録されている値を線形補間することにより、入力された値に対応する値を算出して、表示部１２に出力する。
【符号の説明】
【００８１】
１      置き土支援装置
１４    処理部
１５    記憶部
１５Ａ  計算式データ
１５Ｂ  地形条件データ
１５Ｃ  出水パターンデータ
１５Ｄ  シミュレーション結果テーブル
【図１】
2014173289.tif 000008
【図２】
2014173289.tif 000009
【図３】
2014173289.tif 000010
【図４】
2014173289.tif 000011
【図５】
2014173289.tif 000012
【図６】
2014173289.tif 000013
【図１０】
2014173289.tif 000014
【図１１】
2014173289.tif 000015
【図１２】
2014173289.tif 000016
【図７】
2014173289.tif 000017
【図８】
2014173289.tif 000018
【図９】
2014173289.tif 000019